(57)【要約】      （修正有）【課題】  ガスコンロに於いて、災害時に煮汁がこぼれて、燃焼ガスが部屋に充満して大爆発が起こらないようにする。【解決手段】本体装置の内部に燃焼装置３と鍋を支持する五徳４を有するガスコンロにおいて、該五徳は放射状に配置されて鍋の下隅周面を支え受ける３個以上の鍋受け体７と該鍋受け体の放射配置形態を固定保持する枠体８，９を備え、各鍋受け体の鍋受け面は下方傾斜状の半円球周面に沿って下り傾斜状に設け、各鍋受け面で囲まれる五徳空間内に鍋の下部をはめこんだ状態で支持する。【選択図】  図１
2006292203.tif 000002
【特許請求の範囲】
【請求項１】
本体装置の内部に燃焼装置と鍋を支持する五徳を有するガスコンロで有って、該五徳は放射状に配置されて鍋の下隅周面を支え受ける３個以上の鍋受け体と該鍋受け体の放射配置形態を固定保持する枠体を備え、各鍋受け体の鍋受け面は下方傾斜状の半円球周面に沿って下り傾斜状に設け、各鍋受け面で囲まれる五徳空間内に鍋の下部をはめこんだ状態で支持する事を特徴とするガスコンロ。
【請求項２】
本体装置の内部に燃焼装置と鍋を支持する五徳を有するガスコンロにおいて、該五徳は放射状に配置されて鍋の下隅周面を支え受ける３個以上の鍋受け体と該鍋受け体の放射配置形態を固定保持する枠体を備え、各鍋受け体の鍋受け面は下方傾斜状の半円球周面に沿って下り傾斜状に設け、各鍋受け面で囲まれる五徳空間内に鍋の下部をはめこんだ状態で支持するガスコンロであって、燃焼装置は、鍋受け体の周囲を周囲を囲む状態で環状に配置し、燃焼装置の内周面に沿って燃焼ガスを噴出する一群の噴射口を開口し、該燃焼装置の上方に、鍋から吹きこぼれ落ちる煮汁を受け止める被覆部を配置すると共に、該被覆部は五徳に固定し、燃焼装置を上下多段状に設ける事を特徴とする特許請求項１記載のガスコンロ。
【請求項３】
本体装置の内部に燃焼装置と鍋を支持する五徳を有するガスコンロにおいて、該五徳は放射状に配置されて鍋の下隅周面を支え受ける３個以上の鍋受け体と該鍋受け体の放射配置形態を固定保持する枠体を備え、各鍋受け体の鍋受け面は下方傾斜状の半円球周面に沿って下り傾斜状に設け、各鍋受け面で囲まれる五徳空間内に鍋の下部をはめこんだ状態で支持するガスコンロであって、本体装置の上面を覆う天板に五徳を出し入れする開口と、該開口の周縁に沿って凹み形成した装着凹部を設け、各鍋受け体の上端外面に、該装着凹部で支持される掛け止め腕を突設し、五徳を載置した状態で、本体装置の内部に従容されるようにして、鍋受け面は傾斜角度の異なる複数面で形成し、該傾斜面の傾斜角度は鍋受け面の上部側で大きく、下部に成る程小さく設定する事を特徴とする特許請求項１又は特許請求項２記載のガスコンロ。
【発明の詳細な説明】
【技術分野】
【０００１】
本発明は、鍋の支持形態に特徴を有するガスコンロに関する。
【背景技術】
【０００２】
ガスコンロの天板上には、鍋を載置する為の五徳が設けてある。五徳は放射状に配置される数個の鍋受け体と、鍋受け体を支持する四角形状の基板とで構成してあり、基板の中央に燃焼装置を突出させる為の開口が設けてある。加えて基板はふきこぼれた煮汁を受ける為の受け皿を兼ねている。
【発明の開示】
【発明が解決しようとする課題】
【０００３】
従来のガスコンロでは、鍋が鍋受け体上に単に載置してあるだけでしかなく、誤って身体の一部が杷手や鍋に当たったような場合に簡単にずれ動いてしまう。地震等の際には、鍋が五徳から外れて傾いたり、引っくり返ってしまうこともある。こうした場合には、鍋内の熱湯や煮汁が周辺に流れ出て、火傷を負う恐れがある。最悪の場合には、鍋から流れ出た熱湯や煮汁によって、燃焼装置の炎が消され、未燃焼ガスがコンロ周辺に充満して爆発する恐れもある。食用油を用いて調理している場合には、燃焼装置の災がこぼれた油に引火して火災を引き起こすこともある。
換言すれば、この発明の目的は、地震等の際にも鍋を起立保持して、鍋が五徳の横側方向へずれ動いたり、ひっくり返るのを確実に防止出来るガスコンロを提供する事にある。
再言すれば、本発明の他の目的は、ふきこぼれた煮汁や、傾斜した鍋から流れ出る煮汁によつて、燃焼装置の炎が消えてしまうのを確実に防止出来るガスコンロを提供する事にある。
【課題を解決するための手段】
【０００４】
この発明のガスコンロは、本体装置の内部に燃焼装置と鍋を支持する五徳を設けてあり、該五徳は放射状に配置されて鍋の下隅周面を受け止める３個以上の鍋受け体と該鍋受け体の鍋受け面は下方傾斜状に設け、これによって各鍋受け面で囲まれた五徳空間内に鍋の下部をはめこんだ状態で支持する。
詳細に説明すると、具体的には燃焼装置は、鍋受け体の周囲を囲む状態で環状に配置し、燃焼装置の内周面に沿って燃料ガスを噴出する円周上に設けた噴出口を開口する。燃焼装置の上方に、鍋から流れ落ちる煮汁を受け止める受け皿を配置する。煮汁受け止め皿は五徳に固定すると共に燃焼装置は上下多段状に設ける。
本体装置の全体上面を覆う天板に五徳を出し入れする開口と、開口の周縁に沿って凹状に形成した装着凹部とを設け、各鍋受け体の上端外面に、装着凹部で支持される掛け止め腕を突設し、五徳を装着凹部に載置した状態に於いて、その殆どの部分が本体装置の内部に収容されるようにする。鍋受け面は傾斜角度の異なる複数の傾斜面で形成し、各傾斜面の傾斜角度は、鍋受け面の上部側で大きく、下部になるほど小さく設定する。
【発明の効果】
【０００５】
本発明に於いては、各鍋受け体の鍋受け面を下方傾斜状に形成し、五徳を目の荒い竹篭状に形成する事により、鍋を各鍋受け面で囲まれる五徳空間内にはまり込む状態で支持出来るようにした為に、本発明のガスコンロによれば、誤って手や体に接触した場合や地震等の際にも鍋が五徳の外へずれ動いたり、ひっくり返るのを防止出来るように成り、又、環状の燃焼装置を有するガスコンロに於いては、特定方向に傾いた鍋から流れ落ちる煮汁によって総ての吐出燃焼口の炎が一斉に消されてしまうのを防止出来るので、瞬間的に消えたガスを燃焼状態に復元出来るので、未燃焼充満ガスの爆発を未然に防止出来る。
【発明の実施をするため最良の形態】
【０００６】
鍋受け体の鍋受け面を下方傾斜状の半円球面状にするので、鍋を五徳に載置した状態に於いて、鍋の下部が鍋受け面で囲まれる五徳空間の内部にはまり込むようにするので、上下方向又は前後左右方向の外力が突然作用したとしても、鍋が五徳から外れたりひっくり返る事は無く、五徳空間内に於いて正常な起立保持が可能である。
窓明けや地震等によって、鍋が継続的に揺すられる場合に、煮汁の一部が流れ出て炎を消してしまう恐れがあるが、鍋受け体を囲む環状燃焼口によれば、例え複数個所の炎が消えても、他の部分の炎で燃焼を維持出来るので、噴出する燃料ガスを再着火させ、未燃焼ガスのガスコンロ周辺の充満を防止出来る。燃焼装置の上面に煮汁等の受け止め容器を配置して置けば、煮汁等の突出による消炎を確実に防止可能である。受け止め容器は燃焼熱の無駄な上方逸散を防止出来る。
燃焼装置を上下多段状に設けるのは、鍋の大小によって、鍋受け体による鍋の支持高さが異なり、多段式燃焼装置による、鍋の加熱位置が異なる事を補正する為である。五徳の殆んどの部分を本体装置内に収容すると、鍋受け体が天板の上方に大きく突出するのを避けて、鍋の五徳に対する載せ降ろしの操作を簡略化出来る。鍋受け面を複数の傾斜面で形成し、その傾斜角度を下部に成る程小さく設定するのは、鍋の大小の違いによる鍋支持高さの違いを極力抑える為である。本発明の五徳では、一個の燃焼装置のみで大きさの異なる大小の鍋を適正に加熱する事が出来る。鍋受け面を放物線状に形成する場合でも、同様に鍋支持高さの違いを極力抑える事が出来る。
【０００７】
図１ないし図４にこの発明に係るガスコンロを示している。図１に於いてガスコンロは、上面が開口する角箱状の本体装置（ケース）１と本体装置（ケース）２の上面開口をふさぐ天板２と、本体装置１の内部に配置した燃焼装置（バーナー）３及び五徳４などで構成してある。図２に示すように、五徳４は天板２に対して自由に着脱でき、そのために、天板２の板間に五徳４を出し入れする為の円形の開口５を設け、開口５の周縁に円形の装着凹部６を凹（窪）み形成している。
【０００８】
図２及び図３に於いて、五徳４は上面側から見て放射状に均等配置した５個の鍋受け体７と、鍋受け体７の放射配置形態を固定支持する上下一対の枠体８，９と、上下の枠体８，９の間に配置した被覆部（カバー）１０とからなる。
【０００９】
鍋受け体７は、鋼板ないしはステンレス鋼板を鈎（カギ）形に打ち抜いて形成した板片からなり、斜めに傾斜する縦長の脚部１２の上端一側に掛け止め腕１３が突設してある。上下の枠体８，９は、鍋受け体と同じ素材を打ち抜いて形成した円形の輪（リング）からなり、各鍋受け体７に対して熔接して一体化する。詳論すれば、上方の枠体８は掛け止め腕１３の突出基盤の下面側に接当し、下方の枠体９は脚部１２の下端内面にはまり込む状態でそれぞれ熔接する。  
【００１０】
上記のように、各鍋受け体７を上下の枠体８，９で固定保持する事により、その内側面の鍋受け面１４が、下方傾斜面状の円周面に沿って下り傾斜する。図４に於いて、鍋受け面１４は連続する３個の傾斜面１４ａ，１４ｂ，１４ｃで形成してあり、上段の傾斜面１４ａの傾斜角度θ１に対して、中段の傾斜面１４ｂの傾斜角度θ２は小さく設定してあり、下段の傾斜面１４ｃの傾斜角度θ３は更に小さく設定してある。このように各傾斜面１４ａ，１４ｂ，１４ｃの傾斜角度を徐々に小さくするのは、鍋Ｖの大小の違いによる鍋支持高さの違いを極力抑止して、燃焼装置３と鍋Ｖの相対位置差を小さくするためである。  
【００１１】
被覆部（カバー）１０は鍋Ｖから流れ落ちた煮汁等が燃焼装置３の上面に付着するのを避けるため設けてあり、上下の枠体８，９の間に配置し、各鍋受け体７に熔接する。被覆部１０はドーナツ形のプレス加工品からなり、その板面が内縁から外縁の側へ向かって下り傾斜するように形成してある。燃焼ガスを被覆部１０の上方へ逃して、燃焼空気の通りを良くする為に、図３に示すように被覆部１０の内縁に部分括弧状の切り欠き部１５を設けている。
【００１２】
前述しましたように、五徳４は天板２に対して自由に着脱出来、天板２の装着凹部６で掛け止め腕１３を支持した組み付け状態に於いては、五徳４の殆どの部分が本体装置（ケース）１内に収容される。従って、使用時に五徳４が天板２の上面上方へ大きく突出するのを解消して、鍋Ｖの五徳４に対する載せ降ろし操作を容易化出来る。
【００１３】
燃焼装置３は各鍋受け体７の脚部１２の下部周面を囲む無端環状の中空リング（環）からなり、その内面上部に下方傾斜状の傾斜壁１６を設け、傾斜壁１６に燃焼ガスを噴出する複数の噴射口１７を一定間隔おきに通設する。燃焼装置３はガス供給管に接続されており、ガス供給管で空気と混合されてた燃料ガスを、各噴射口１７から斜上方へ向かって噴き出す。燃焼装置３は本体装置１の底壁に立設した４個の支持脚１９で固定支持してある。
【００１４】
被覆部（カバー）１０で流下案内された煮汁等の拡散を防ぐ為に、被覆部１０の外縁直径より大径の筒体２０を本体装置１の底壁上に配置する。更に、燃焼装置３の真下に位置する本体装置１の底壁に空気取り入れ口を兼ねる廃液開口２１を設け、その下面側に受け皿２２を設けている。
【００１５】
図１に示すように、鍋５を五徳４に載置した状態では、鍋５の過半下部が各鍋受け面１４で囲まれる五徳空間内にはまり込んで、その下隅周面が鍋受け面１４で支持される。従って、地震等の際に鍋Ｖに大きな外力が作用したとしても、鍋Ｖが五徳４の外へずれ動くのを防止でき、ひっくり返る事も無い。鍋Ｖが傾き、煮汁の一部が流れ落ちる事があるが、流れ落ちた煮汁は被覆部１０で受け止められるので、燃焼装置３に煮汁がかかるのを極力避ける事が出来る。大量の煮汁が流下して複数個の噴射口１７の炎を消す事が有っても、他の部分では炎を維持出来るので、未燃焼状態の燃焼ガスがガスコンロの周辺に充満するのを防止出来る。
【００１６】
上記とは別に、直径寸法が大小に異なる２個の燃焼装置３，３Ａを設け、図５に示すように、上下多段状に配置する事が出来る。大形の鍋Ｖには大寸法の燃焼装置３を使用し、小形の鍋Ｖを使用する時には小寸法の燃焼装置３Ａを使用する。各燃焼装置３，３Ａに対応して、被覆部１０も多段状に設ける。燃焼装置３は必ずしも無端環状に形成する必要は無く、図６に示すように、半円環状の一対の燃焼装置３，３Ａを環状に配置しても良いし、両者を段差を付けて併用しても良い。
鍋受け体７に形成する鍋受け面１４は放物線状に形成する事が出来る。又単に下方傾斜状に形成しても良い。
【図面の簡単な説明】
【００１７】
【図１】図１はガスコンロの縦断正面図である。
【図２】図２は五徳を本体装置から分離した状態の正面図である。
【図３】図３は五徳の平面図である。
【図４】図４は鍋受け体の詳細構造を示す正面図である。
【図５】図５はガスコンロの別の実施例を示す縦断正面図である。
【図６】図６はガスコンロの別の実施例を示す平面図である。
【符号の説明】
【００１８】
１    本体装置（ケース）
２    天板
３    燃焼装置（バーナー）
３Ａ  燃焼装置
４    五徳
５    開口
７    鍋受け体
８    本体装置（枠体）上
９    本体装置（枠体）下
１０  被覆部（カバー）
１２  脚部
１３  掛け止め腕
１４  鍋受け面
１４ａ  傾斜面    １４ｂ  傾斜面    １４ｃ  傾斜面
１６  傾斜壁
１７  噴射口
１９  支持脚
２１  排（廃）液開口
２２  受け皿
Ｖ    鍋
【図１】
2006292203.tif 000003
【図２】
2006292203.tif 000004
【図３】
2006292203.tif 000005
【図４】
2006292203.tif 000006
【図５】
2006292203.tif 000007
【図６】
2006292203.tif 000008